(57)【要約】【課題】建築物の壁面や手摺さらには蹴込板の有無や其の強度に依存することなく踏板の撓みや踏板と桁材との接合部分の応力が集中を回避することのできる階段構造を提供する。【解決手段】踏板６（７）の左右幅方向の両端に配備された連結材５３（６４）により高さ方向に隣り合う踏板６（７）同士を相互に連結し、踏板６（７）に対して左右方向に偏って作用する荷重を全ての踏板６（７）によって分散させて支えることで、左右方向に偏った荷重が作用した踏板６（７）の撓みを抑制する。同様に、踏板６（７）と桁材１０（１１）との接合部分８（９）に作用する曲げ応力も同様にして桁材１０（１１）と各踏板６（７）毎の接合部分８（９）に分散して支えることで、左右方向に偏った荷重が作用した踏板６（７）と桁材１０（１１）との接合部分８（９）の応力集中を抑制する。また、人に不安感を与える振動の発生をも抑える。【選択図】図１
2010013925.tif 000002
【特許請求の範囲】
【請求項１】
建築物の上階と下階を連絡する階段構造であって、
複数の踏板と、前記各踏板を左右幅方向の中央部で支持する桁材とを備え、
高さ方向に隣り合う踏板同士が、前記踏板の左右幅方向の両端に配備された連結材によって相互に連結されていることを特徴とした階段構造。
【請求項２】
前記連結材が、桿状の本体部と、前記本体部の上端から本体部の長手方向に直交する向きで延出して高さ方向に隣り合う踏板のうち相対的に上段側に位置する踏板の下面側における上り方向の手前側の端部に連結する上部取付片と、前記本体部の下端から下方に向けて延出して高さ方向に隣り合う踏板のうち相対的に下段側に位置する踏板における上り方向の前方側の縁部に連結する下部取付部によって一体的に構成されていることを特徴とした請求項１記載の階段構造。
【請求項３】
最下段の踏板と下階側の床板との間が、前記最下段の踏板の左右幅方向の両端に配備された連結材によって相互に連結されていることを特徴とした請求項１または請求項２の内いずれか一項に記載の階段構造。
【請求項４】
最上段の踏板と上階側の床板との間が、前記最上段の踏板の左右幅方向の両端に配備された連結材によって相互に連結されていることを特徴とした請求項１，請求項２または請求項３の内いずれか一項に記載の階段構造。
【請求項５】
最下段の踏板の左右幅方向の両端に階段の手摺用支柱が立設され、前記最下段の踏板と下階側の床板との間が、前記最下段の踏板の左右幅方向の両端に配備された踏板受け部材によって相互に連結されていることを特徴とした請求項１または請求項２の内いずれか一項に記載の階段構造。
【請求項６】
最下段の踏板と下階側の床板から二段目の踏板との間に配備された前記連結材に代えて、前記二段目の踏板から下階側の床板に達する長さの延長連結材を設け、この延長連結材の長手方向途中が前記最下段の踏板の背面と連結されると共に長手方向下端部が前記床板に固着されていることを特徴とした請求項１に記載の階段構造。
【発明の詳細な説明】
【技術分野】
【０００１】
本発明は、桁材によって踏板の中央部を支持した階段構造の改良に関する。
【背景技術】
【０００２】
桁材によって踏板の中央部を支持した階段構造としては、例えば、特許文献１に開示される階段が公知である。
【０００３】
この種の階段構造は中桁構造とも呼ばれ、必要とされる桁材の数が軽減されることから、相対的な部品点数の削減と施工の簡素化、および、建て付けコストの低減化と作業所要時間の短縮化の面で有利であるが、１本の桁材で踏板の中央部を支える構造であるため、踏板の左右方向に偏った荷重が作用すると踏板に撓みが生じ易く、また、踏板と桁材との接合部分に応力が集中し易いといった不都合がある。
【０００４】
こういった不都合は、特許文献１でも開示すように、踏板の左右幅方向の端部を建築物の壁面あるいは手摺等に固定して踏板の実質的な剛性を確保することで改善され得るが、階段の配置箇所が制限される弊害があり、特に、階段を後付けするような場合にあっては、建築物の壁面と踏板との接合、および、建築物に対する手摺等の取り付けに煩雑な作業が必要となって設置コストが増大する問題があり、また、手摺自体にも補強手段としての機能が要求されるため、デザイン優先の設計が難しくなるといった弊害が生じる。
【０００５】
あるいは、特許文献２に開示されるような階段構造の技術を転用し、踏板や蹴込板等として機能する外周面を有する多角形筒状体の階段構成材を押し出し成形等で一体成形し、この階段構成材を踏板として利用することによって踏板それ自体に剛性を持たせることで踏板の撓みを防止したり、更には、踏板の左右幅方向の両端を固定支持した状態で踏板中央部の撓みを防止するようにした通常の階段構造（例えば、特許文献３）で利用される蹴込板の構造を流用し、高さ方向に隣り合う踏板のうち相対的に上段側に位置する踏板の下面側における上り方向の手前側の端部と高さ方向に隣り合う踏板のうち相対的に下段側に位置する踏板における上り方向の前方側の縁部とを蹴込板で連結することにより、歩行等に際して踏板に作用する荷重を蹴込板を経て他の踏板に分散させることで、直接的に荷重の作用している踏み板の撓みを軽減するといったことも考えられる。
しかしながら、何れの場合も、踏板の実質的な剛性を確保する必要上、蹴込板あるいは蹴込板に相当する箇所に十分な強度を持たせる必要があり、蹴込板として利用できる素材の機械的な特性に剛性や靱性に関わる制限が生じる不都合がある。
また、デザイン上の観点や採光の都合から蹴込板の使用が望ましくない場合もあり、他の手段によって踏板の撓みや踏板と桁材との接合部分の応力集中を解消する構造が望まれている。
【０００６】
【特許文献１】特開２００５−３２０７７５号公報（図１，図３）
【特許文献２】特開２００３−１３８７１４号公報（段落００１７−段落００１８，図２）
【特許文献３】特開平１１−３０３２１６号公報（段落００１８，図２）
【発明の概要】
【発明が解決しようとする課題】
【０００７】
そこで、本発明の課題は、建築物の壁面や手摺さらには蹴込板の有無や其の強度に依存することなく踏板の撓みや踏板と桁材との接合部分の応力が集中を回避することのできる階段構造を提供することにある。
【課題を解決するための手段】
【０００８】
本発明は、建築物の上階と下階を連絡する階段構造であり、前記課題を達成するため、特に、
複数の踏板と、前記各踏板を左右幅方向の中央部で支持する桁材とを備え、
高さ方向に隣り合う踏板同士が、前記踏板の左右幅方向の両端に配備された連結材によって相互に連結されていることを特徴とした構成を有する。
【０００９】
以上の構成によれば、ある特定の踏板に偏った荷重が加わっても、その荷重は連結材を介して（その踏板を載置している桁材が有する）全ての踏板に伝達され分散される。このようにして、偏った荷重による踏板の撓みや、踏板と桁材との接合部における応力集中を効果的に抑制することができる。
【００１０】
踏板の左右幅方向の両端に配備される連結材は、桿状の本体部と、前記本体部の上端から本体部の長手方向に直交する向きで延出して高さ方向に隣り合う踏板のうち相対的に上段側に位置する踏板の下面側における上り方向の手前側の端部に連結する上部取付片と、前記本体部の下端から下方に向けて延出して高さ方向に隣り合う踏板のうち相対的に下段側に位置する踏板における上り方向の前方側の縁部に連結する下部取付片によって一体的に構成されていることが望ましい。
【００１１】
踏板を連結する連結材が、上段側に位置する踏板の下面と下段側に位置する踏板における上り方向の前方側の縁部（前縁）を利用して取り付けられることになるので、踏板の上面側つまり人が足を置くスペースを阻害することなく、踏板の撓みや踏板と桁材との接合部分の応力集中を解消することができる。
【００１２】
前記構成に加え、更に、最下段の踏板と下階側の床板との間を、最下段の踏板の左右幅方向の両端に配備された連結材によって相互に連結するようにしてもよい。
【００１３】
ある踏板の片側を下方に向けて曲げるようにして撓ませる力が、更に、下階側の床板にも分散されることになるので、踏板の撓みや踏板と桁材との接合部分の応力集中を一層効果的に解消することができる。
【００１４】
同様に、最上段の踏板と上階側の床板との間を、最上段の踏板の左右幅方向の両端に配備された連結材によって相互に連結するようにしてもよい。
【００１５】
ある踏板の片側を下方に向けて曲げるようにして撓ませる力が、更に、上階側の床板にも分散されることになるので、踏板の撓みや踏板と桁材との接合部分の応力集中を一層効果的に解消することができる。
【発明の効果】
【００１６】
本発明の階段構造は、踏板の左右幅方向の両端に配備された連結材により高さ方向に隣り合う踏板同士を相互に連結し、踏板に対して左右方向に偏って作用する荷重を全ての踏板によって分散して支えるようにしているので、左右方向に偏った荷重が作用した踏板の撓みを効果的に抑制することができる。
また、踏板と桁材との接合部分に作用する曲げ応力も同様にして桁材と各踏板毎の接合部分に分散して支えられるので、左右方向に偏った荷重が作用した踏板と桁材との接合部分の応力集中も効果的に抑制することができる。
更に、人に不安感を与える振動の発生をも抑えることができる。
この結果、桁材によって踏板の中央部を支持する階段構造いわゆる中桁構造の階段にあっても踏板の左右幅方向の端部を建築物の壁面で支える必要はなくなり、また、機械的な特性に優れた手摺や蹴込板を補強手段として配備する必要もなくなるので、相対的な部品点数の削減と施工の簡素化、および、建て付けコストの低減化と作業所要時間の短縮化のメリットを維持したまま、手摺や蹴込板の使用・不使用を含め、デザインを優先した階段設計が可能となる。
【００１７】
しかも、高さ方向に隣り合う踏板同士の連結には、上段側に位置する踏板の下面側における上り方向の手前側の端部に連結する上部取付片と下段側に位置する踏板における上り方向の前方側の縁部（前縁）に連結する下部取付片および桿状の本体部からなる一体の連結材を使用しているので、踏板の上面側つまり人が足を置くスペースを阻害することなく、踏板の撓みや踏板と桁材との接合部分の応力集中を解消することができる。
【００１８】
更に、最下段の踏板と下階側の床板との間を最下段の踏板の左右幅方向の両端に配備された連結材によって相互に連結する構成や最上段の踏板と上階側の床板との間を最上段の踏板の左右幅方向の両端に配備された連結材によって相互に連結する構成を併用することで、踏板に対して左右方向に偏って作用する荷重を下階側の床板や上階側の床板にまで分散させることができるので、踏板の撓みや踏板と桁材との接合部分の応力集中を一層効果的に抑制することが可能となり、また、人に不安感を与える振動の発生をも抑えることができる。
【図面の簡単な説明】
【００１９】
【図１】本発明の階段構造を適用した第１実施形態の折返し階段の構成について簡略化して示した分解斜視図である。
【図２】同実施形態の折返し階段における下階段部の桁材の構成について示した図で、図２（ａ）は桁材における水平部と傾斜部との接合状態について示した平面図、図２（ｂ）は桁材における水平部と傾斜部との接合状態について示した左側面図である。
【図３】同実施形態の折返し階段における上階段部の桁材の構成について示した図で、図３（ａ）は桁材における水平部と傾斜部との接合状態について示した左側面図、図３（ｂ）は桁材における水平部と傾斜部との接合状態について示した断面図である。
【図４】同実施形態の折返し階段における下階段部の桁材の傾斜部と下階との接続状態について示した左側面図である。
【図５】同実施形態の折返し階段における上階段部の桁材の傾斜部と上階との接続状態について示した左側面図である。
【図６】同実施形態の折返し階段における連結材の構造を示した図で、図６（ａ）は階段の上り方向の手前側から連結材を示した正面図、図６（ｂ）は其の右側面図、また、図６（ｃ）は其の平面図である。
【図７】同実施形態の折返し階段における下階段部の踏板，連結材，蹴込板、および、上階段部の踏板，連結材，蹴込板、ならびに、折り返し部を形成する床板を取り出して全体的な接続状態を示した斜視図である。
【図８】同実施形態の折返し階段における下階段部の桁材，踏板受材，踏板、および、上階段部の桁材，踏板受材，踏板、ならびに、折り返し部を形成する床板を取り出して全体的な接続状態を示した斜視図である。
【図９】本発明を適用した第２実施形態の折返し階段の構成について簡略化して示した分解斜視図である。
【図１０】前記第２実施形態の折り返し部を形成する床板の取付構造を示した断面図である。
【図１１】本発明を適用した第３実施形態の折返し階段における下階段部の桁材の傾斜部と下階との接続状態について示した図で、図１１（ａ）は左側面、図１１（ｂ）は図１１（ａ）のｂ−ｂ線に沿った断面図である。
【図１２】図１１の要部を示し、図１２（ａ）は最下段の踏板と手摺の支柱および連結材に代わる受け部材との関連を示す一部断面の側面図、図１２（ｂ）は図１２（ａ）におけるｂ矢視図である。
【図１３】本発明を適用した第４実施形態の折返し階段における下階段部の桁材の傾斜部と下階との接続状態について示した左側面図である。
【図１４】前記第４実施形態の折返し階段における連結材の構造を示した図で、図１３（ａ）は階段の上り方向の手前側から連結材を示した正面図、図１３（ｂ）は其の右側面図、また、図１３（ｃ）は其の平面図、図１３（ｄ）は図１３（ｂ）のｄ−ｄ線に沿った断面図である。
【発明を実施するための形態】
【００２０】
次に、本発明を実施するための形態について図面を参照して具体的に説明する。
【００２１】
図１は上階と下階を連絡する折返し階段に対して本発明の階段構造を適用した場合の第１実施形態について簡略化して示した分解斜視図である。
【００２２】
この折返し階段１は、建築物の上階Ｕｓと下階Ｄｓの間に折り返し部２を備えた折返し階段であり、その主要部は、下階Ｄｓと折り返し部２とを連絡する下階段部４と、折り返し部２と上階Ｕｓとを連絡する上階段部５、および、下階段部４の桁材１０における水平部１２と上階段部５の桁材１１における水平部１３を跨ぐように設置されて折り返し部２を形成する床板３によって構成される。
【００２３】
下階段部４と上階段部５は、その各々を独立した階段構造として捉えることも可能である。そうした場合、下階段部４の側に着目すれば、相対的に、折り返し部２を建築物の上階、また、下階Ｄｓを建築物の下階として把握することができる。同様に、上階段部５の側に着目したとするなら、相対的に、折り返し部２を建築物の下階、また、上階Ｕｓを建築物の上階として把握することができる。
【００２４】
このうち、下階段部４は、複数の踏板６と、各踏板６を支持する複数の踏板受材８と、各踏板受材８を介して各踏板６の左右幅方向の中央部を支持する１本の桁材１０によって構成される。ここで、踏板６の左右幅方向とは、階段全体から見た場合の幅方向であり、踏板６自体から見た場合は長手方向に該当するものである。
【００２５】
下階段部４の桁材１０は、折り返し部２側の端部寄りに位置する水平部１２と、下階段部４の傾斜に倣った傾斜角度を有する傾斜部１４とによって一体的に構成されている。
【００２６】
図２（ａ）は下階段部４の桁材１０における水平部１２と傾斜部１４との接合状態について示した平面図、図２（ｂ）は下階段部４の桁材１０における水平部１２と傾斜部１４との接合状態について示した左側面図である。
【００２７】
下階段部４の水平部１２と傾斜部１４は共に略矩形状の断面を有するアルミ押し出し成形の中空部材であり、各々の接合部を形成する突き合わせ面１２ａ，１４ａが図２（ｂ）に示すようにして斜めに切断されており、突き合わせ面１２ａ，１４ａを突きあわせて水平部１２の姿勢を水平にした際に、傾斜部１４の傾斜角度が下階段部４の設計上の傾斜角度と一致するようになっている。
【００２８】
水平部１２の突き合わせ面１２ａと傾斜部１４の突き合わせ面１４ａとの接合は、図２（ａ）および図２（ｂ）に示すように、水平部１２の内径と傾斜部１４の内径に合致する略矩形状の断面形状を備えて略「へ」の字型に一体成形されたスリーブ状の接続材１６と、水平部１２の壁面を外側から貫通して接続材１６のタップ穴に螺合する複数のボルト１８、および、傾斜部１４の壁面を外側から貫通して接続材１６のタップ穴に螺合する複数のボルト２０によってなされる。
【００２９】
下階段部４の踏板６は、左右方向に長い矩形の板状体である。各々の踏板６と桁材１０との接合部分を構成する踏板受材８は、図２（ｂ）に示すように、桁材１０の一部を構成する傾斜部１４の上面側に取り付けた状態で水平となる天面８ａを備えた不等辺四角形状の断面を有するアルミ押し出し成形の中空部材であり、その幅は傾斜部１４の幅と概ね等しい。
【００３０】
踏板６は、図２（ａ）に示すように、その左右幅方向の略中央部で踏板受材８の天面８ａにボルト２２および木ネジを利用して固定され、踏板受材８は、その下面８Ｂを傾斜部１４の上面で支持されて、ボルト２４によって傾斜部１４の上面側に固定されている。つまり、桁材１０の傾斜部１４は、踏板受材８を介して踏板６の左右幅方向の中央部を支持していることになる。
【００３１】
なお、図１に示される符号２６は、不等辺四角形状の断面を有する中空部材からなる踏板受材８の両端部を塞ぐためのポリカーボネート製のカバー部材であり、踏板受材８の両端部にネジ固定するかたちで取り付けられる。
【００３２】
上階段部５も、前述した下階段部４と同様、図１に示すように、複数の踏板７と、各踏板７を支持する複数の踏板受材９、および、各踏板受材９を介して各踏板７の左右幅方向の中央部を支持する１本の桁材１１からなる。桁材１１は、折り返し部２側の端部寄りに位置する水平部１３と、上階段部５の傾斜に倣った傾斜角度を有する傾斜部１５とによって一体的に構成されている。
【００３３】
図３（ａ）は上階段部５の桁材１１における水平部１３と傾斜部１５との接合状態について示した左側面図、図３（ｂ）は上階段部４の桁材１１における水平部１３と傾斜部１５との接合状態について示した断面図である。
【００３４】
上階段部５の水平部１３と傾斜部１５は共に略矩形状の断面を有するアルミ押し出し成形の中空部材であり、各々の接合部を形成する突き合わせ面１３ａ，１５ａが図３（ａ）に示すようにして斜めに切断されており、突き合わせ面１３ａ，１５ａを突きあわせて水平部１３の姿勢を水平にした際に、傾斜部１５の傾斜角度が上階段部５の設計上の傾斜角度と一致するようになっている。
【００３５】
水平部１３の突き合わせ面１３ａと傾斜部１５の突き合わせ面１５ａとの接合は、図３（ａ）および図３（ｂ）に示すように、水平部１３の内径と傾斜部１５の内径に合致する略矩形状の断面形状を備えて略「へ」の字型に一体成形されたスリーブ状の接続材１７と、水平部１３の壁面を外側から貫通して接続材１７のタップ穴に螺合する複数のボルト１９、および、傾斜部１５の壁面を外側から貫通して接続材１７のタップ穴に螺合する複数のボルト２１によってなされる。
【００３６】
なお、前述した下階段部４側の桁材１０すなわち水平部１２と傾斜部１４の断面形状は共に図３（ｂ）に示した水平部１３の断面形状と同様であり、また、下階段部４において桁材１０の水平部１２と傾斜部１４とを接続する接続材１６の断面形状も、図３（ｂ）に示した接続材１７の断面形状と同様である。
【００３７】
上階段部５の踏板７は、前述した下階段部４の踏板６と同様、左右方向に長い矩形の板状体である。各々の踏板７と桁材１１との接合部分を構成する踏板受材９は、図３（ａ）に示すように、桁材１１の一部を構成する傾斜部１５の上面側に取り付けた状態で水平となる天面９ａを備えた不等辺四角形状の断面を有するアルミ押し出し成形の中空部材であり、その幅は傾斜部１５の幅と概ね等しい。
【００３８】
踏板７は其の左右幅方向の略中央部で踏板受材９の天面９ａにボルト２３および木ネジを利用して固定され、踏板受材９は、その下面９Ｂを傾斜部１５の上面で支持されて、ボルト２５によって傾斜部１５の上面側に固定されている。従って、桁材１１の傾斜部１５は、踏板受材９を介して踏板７の左右幅方向の中央部を支持していることになる。前記と同様、踏板受材９の左右の開口部は、ポリカーボネート製のカバー部材２７で塞がれる。
【００３９】
以上に述べた通り、下階段部４の桁材１０が傾斜部１４の上端部の側に水平部１２を備えるのに対し、上階段部５の桁材１１が傾斜部１５の下端部の側に水平部１３を備えることを別にすれば、下階段部４の構造と上階段部５の構造は実質的に同等である。
【００４０】
そして、下階段部４の桁材１０における水平部１２の先端部、および、上階段部５の桁材１１における水平部１３の先端部は、図１に示すように、建築物の壁面内に固設された構造材２８，２８に水平に取り付けられた受梁材２９と、左右方向に相互に間隔をおいて受梁材２９に取り付けられた一対のサポートシュー３０，３０とを介して、建築物の壁面に接続されている。
【００４１】
より具体的には、受梁材２９は、図２（ａ）および図２（ｂ）に示すように略矩形状の断面を有するアルミ押し出し成形の中空部材であり、構造材２８，２８と接続する取付金具３１，３１、および、取付金具３１，３１に受梁材２９を固定するためのボルト３２，３２を介して構造材２８，２８に取り付けられている。また、サポートシュー３０，３０の各々は、図２（ａ）および図２（ｂ）に示すように、建築物の壁面および其の床板に対して共に直交する一対の舌片状突起３３，３３と、舌片状突起３３，３３の基部を接続するベース部３４とによって一体に構成され、ベース部３４を貫通するボルト３５，３５によって、相互間に間隔をおいた状態で受梁材２９の表面に固定されている。
【００４２】
図１に示される例のように、構造材２８，２８の間の離間距離が下階段部４の桁材１０と上階段部５の桁材１１との間の水平方向の離間距離に一致しないような状況下にあっては、構造材２８，２８の間に受梁材２９を掛け渡し、この受梁材２９を利用してサポートシュー３０，３０の設置間隔を桁材１０と桁材１１の水平方向の離間距離に合わせる必要があるが、サポートシュー３０，３０のベース部３４，３４を建築物の壁面に直に取り付けられるような状況下、例えば、構造材２８，２８の間の離間距離と桁材１０，１１の水平方向の離間距離とが一致している、或いは壁面自体が十分な強度を有しているような状況下にあっては、必ずしも受梁材２９を配置する必要はなく、サポートシュー３０，３０を構造材２８，２８或いは壁面に直に取り付けてもよい。
【００４３】
この実施形態の場合、構造材２８，２８の間の離間距離と桁材１０，１１の水平方向の離間距離とが一致しないので、受梁材２９を用いずにサポートシュー３０，３０を壁面に取り付けようとすると、少なくとも一方のサポートシュー３０を構造材２８の存在しない箇所で壁面に取り付けなければならず、その取付強度が著しく低下するが、図１のように構造材２８，２８の間に掛け渡された受梁材２９を介してサポートシュー３０，３０を壁面に取り付けることで、２つのサポートシュー３０，３０の取付強度を共に確保することが可能となり、特に、折返し階段を屋内に設置する場合や後付けで設置する場合に好適である。
【００４４】
桁材１０における水平部１２の先端部とサポートシュー３０との接続状態は図２（ａ）および図２（ｂ）に示す通りであり、略矩形状の断面を有する水平部１２の左右の側壁部分の内側でサポートシュー３０の舌片状突起３３，３３を挟み込むようにして、サポートシュー３０を水平部１２の先端部に内嵌し、水平部１２の側壁を外側から貫通するボルト３６によって水平部１２をサポートシュー３０に固定するようにしている。
【００４５】
サポートシュー３０を水平部１２の先端に挿入し、このサポートシュー３０を介して受梁材２９に桁材１０の水平部１２を接続する構造とすることで、壁面に対する桁材１０の接続作業が簡素化されると共に、接続部の強度自体も向上する。
【００４６】
また、桁材１０の外部に取付金具等を始めとする目障りな突起物が突出することもなくなるので、階段構造全体としての美観も向上する。
【００４７】
上階段部５の桁材１１における水平部１３の先端部と他のサポートシュー３０との接続状態についても、前述した下階段部４の桁材１０における水平部１２の場合と同様である。
【００４８】
そして、折り返し部２を形成する床板３は、図１に示すように、下階段部４の桁材１０における水平部１２の上面と上階段部５の桁材１１における水平部１３の上面を跨ぐようにして配置される。
【００４９】
下階段部４の桁材１０における水平部１２と床板３との接合状態は図２（ａ）および図２（ｂ）に示す通りであり、床板３は、水平部１２の上面の左右に張り出すようにして水平部１２上に複数のボルト３７で固定された矩形板状体のブラケット３８、および、ブラケット３８の両側を下から上に貫通する複数の木ネジ３９を介して水平部１２の上面に完全に固定されている。
【００５０】
更に、この実施形態においては、図２（ｂ）に示すように、桁材１０における傾斜部１４の最上段に取り付けられた踏板受材８が水平部１２と共に床板３を支える構成となっており、この踏板受材８の天面８ａを下から上に貫通する木ネジ４０によって踏板受材８と床板３とが固定されるので、水平部１２と床板３との間の接合強度および水平部１２と傾斜部１４との間の接合強度が一層強固なものとなっており、特に、床板３の一部が補強部材として機能することから、水平部１２と傾斜部１４との間の接合部に作用する捩りや曲げに対して十分な耐性を発揮する。
【００５１】
これと同様、上階段部５の桁材１１における水平部１３と床板３との接続も、図３（ｂ）に示すように、水平部１３の上面の左右に張り出すようにして水平部１３上に複数のボルト４１で固定された矩形板状体のブラケット４２、および、ブラケット４２の両側を下から上に貫通する複数の木ネジ４３によって行なわれ、水平部１３の上面に床板３が完全に固定されるようになっている。
【００５２】
図４は下階段部４の桁材１０における傾斜部１４と下階Ｄｓの床板４４との接続状態について示した左側面図、また、図５は上階段部５の桁材１１における傾斜部１５と上階Ｕｓ側の床板４５を支える水平方向の構造材４６との接続状態について示した左側面図である。
【００５３】
下階段部４の桁材１０における傾斜部１４の下端部は、図４に示すように、下階Ｄｓの床板４４と平行になるようにして斜めに切断され、前述したサポートシュー３０と同等の構成を有する床板用のサーポートシュー４７と、傾斜部１４の下端部をサーポートシュー４７に固定するためのボルト４９，４９、および、サーポートシュー４７を床板４４に固定するためのボルト５０，５０を介して、下階Ｄｓの床板４４に固定されている。傾斜部１４の外部に取付金具等を始めとする目障りな突起物を設ける必要がないので、階段構造全体としての美観が向上する。
【００５４】
これと同様、上階段部５の桁材１１における傾斜部１５の上端部も、図５に示すように、上階Ｕｓ側の床板４５を支える構造材４６の手前側の面４６ａと平行になるようにして斜めに切断され、前述したサポートシュー３０，４７と同等の構成を有する構造材用のサーポートシュー４８、および、傾斜部１５の上端部を構造材４６に固定するためのボルト５１，５１、ならびに、サーポートシュー４８を構造材４６に固定するためのボルト５２，５２を介して上階Ｕｓの床板４５を支える構造材４６に固定されている。
【００５５】
そして、更に、この実施形態においては、踏板受材８を介して其の左右幅方向の略中央部を１本の桁材１０の傾斜部１４で支えられた各踏板６の撓みを防止するため、図１に示すように、高さ方向に隣り合う踏板６，６の間、および、高さ方向で折り返し部２の床板３に隣り合う踏板６と床板３との間が、各踏板６の左右幅方向の両端に配置された連結材５３によって相互に連結されている。
前述した通り、下階段部４を独立した１つの階段構造として認識した場合にあっては、下階段部４を基準として、折り返し部２を建築物の上階、また、下階Ｄｓを建築物の下階として把握することができるのであるから、この実施形態にあっては、下階段部４の一部を構成する最上段の踏板６と上階側つまり折り返し部２側の床板３との間が最上段の踏板６の左右幅方向の両端に配備された連結材５３，５３によって相互に連結されているといって差し支えない。
【００５６】
連結材５３の取付状態は図４に示される通りであり、具体的には、高さ方向に隣り合う踏板６，６のうち、相対的に上段側に位置する踏板６において階段の上り方向の手前側（図４中で右）に位置する左右幅方向の両端部と、相対的に下段側に位置する踏板６において階段の上り方向の前方側（図４中で左）に位置する左右幅方向の両端部とが、連結材５３，５３によって相互に連結されるようになっている。
【００５７】
図６（ａ）は階段の上り方向の手前側から連結材５３の外形を示した正面図、図６（ｂ）は其の右側面図、また、図６（ｃ）は其の平面図である。
【００５８】
連結材５３は、図６（ａ）および図６（ｂ）に示すように、略Ｔ字型の断面形状を有する桿状の本体部５４と、本体部５４の上端部から本体部５４の長手方向に直交する向きで手前側に延出する上部取付片５５と、本体部５４の下端部から下方に向けて延出する下部取付片５６をアルミダイキャスト等で成形した一体成形品である。そして、上部取付片５５には、図６（ｃ）に示すように、略Ｔ字型の断面を有する本体部５４の投影形状における２つのコーナー部分に相当する中央部の左右両側の箇所に、下面側に座ぐりを備えたネジ穴５７，５７が穿設される一方、下部取付片５６の中央部の左右両側には、その背面側に座ぐりを備えた２つのネジ穴５８，５８が図６（ａ）に示すようにして穿設されている。
踏板６，６間で作用する荷重の伝達に必要とされる十分な剛性さえあれば、連結材５３の素材はアルミダイキャスト等に制限されない。
【００５９】
この連結材５３は、図４に示すように、上部取付片５５の延出方向を階段の上り方向の前方（図４中で左）に向けるようにして、高さ方向に隣り合う踏板６，６のうち相対的に上段側に位置する踏板６の下面側における上り方向の手前側（図４中で右）の端部に上部取付片５５の上面を当接させた状態で、ネジ穴５７，５７を下から上に貫通する木ネジ５９，５９によって相対的に上段側の踏板６の左右両側に固定されると共に、相対的に下段側に位置する踏板６における上り方向の前方側（図４中で左）の縁部（前縁）に下部取付片５６の手前側の面を当接させた状態で、ネジ穴５８，５８を背面側から手前に貫通する木ネジ６０，６０によって相対的に下段側の踏板６の左右両側に固定される。
【００６０】
このように、高さ方向に隣り合う踏板６，６同士の連結には、上段側に位置する踏板６の下面側における上り方向の手前側の端部と下段側に位置する踏板６における上り方向の前方側の縁部（前縁）のみが利用されるので、連結材５３の取り付けによって踏板６の上面側つまり人が足を置くスペースが阻害される問題は全く生じない。
【００６１】
また、高さ方向に隣り合う踏板６，６のうち相対的に上段側に位置する踏板６の下面側における上り方向の手前側（図４中で右）の端部、より厳密には、連結材５３における上部取付片５５の取付位置よりも更に手前側の端部と、相対的に下段側に位置する踏板６の上面側における上り方向の前方側（図４中で左）の端部の各々には、図４に示すように、踏板６の左右幅方向に延びる角溝６１，６２が踏板６の左右両端部に僅かに非加工部を残して刻設され、これらの角溝６１，６２および各踏板６，6における左右両端部の非加工部を利用して、矩形状の蹴込板６３が嵌め込まれている。
【００６２】
蹴込板６３としては一般に合板等が利用されるが、この実施形態にあっては、蹴込板６３を階段構造の補強手段として利用する必要はないので、蹴込板６３を形成する素材の剛性や靱性といった機械的な特性に拘る必要は全くない。従って、例えば、建築物の間取り、特に、窓の配置や照明機器等の設置状況等を考慮して、光の有効利用を図るためにアクリル板等からなる透明あるいは半透明の板材を利用して蹴込板６３を構成することが可能であり、更に、デザイン上の都合等によっては、蹴込板６３の採用それ自体を取り止めるといったこともできる。
【００６３】
蹴込板６３を採用しない構成にあっては、高さ方向に隣り合う踏板６，６の間で連結材５３が外部に露出することになるが、上部取付片５５の延出方向を階段の上り方向の前方（図４中で左）に向けるようにして相対的に上段側に位置する踏板６の下面側に取り付けられる連結材５３は、図６（ｃ）から明らかなように、略Ｔ字型の断面形状を有する桿状の本体部５４の平らな面を階段の上り方向の手前側に向けた状態となるので、階段の上りに際して人が誤って連結材５３の本体部５４を蹴ったような場合であっても、爪先等に怪我をするといった危険性は殆どない。
また、蹴込板６３を採用した構成にあっては、蹴込板６３を本体部５４の平らな面に蹴込板６３を当接させるようにして取り付けができることから、蹴込板６３の収まりがよくなるといったメリットがある。
なお、連結材５３における本体部５４の断面形状をＬ字型の構成とすることも可能であり、その場合は、本体部５４におけるＬ字のコーナー部分を下段側に位置する踏板６における上り方向の前方側の縁部（前縁）の左右の角部に合わせるようにして取り付けるようにする。
【００６４】
図４では高さ方向に隣り合う踏板６，６の関係についてのみ示しているが、高さ方向で折り返し部２の床板３に隣り合う踏板６と床板３との関係も此れと同様である。
【００６５】
つまり、高さ方向で折り返し部２の床板３に隣り合う最上段の踏板６と床板３との関係にあっては、図２（ｂ）に示すように、連結材５３は、上部取付片５５の突出方向を階段の上り方向の前方（図２中で左）に向けるようにして、相対的に上段側に位置する床板３の下面側における上り方向の手前側（図２中で右）の端部に上部取付片５５の上面を当接させた状態で、上部取付片５５の部分を床板３に固定されると共に、相対的に下段側に位置する踏板６における上り方向の前方側（図２中で左）の縁部（前縁）に下部取付片５６の手前側の面を当接させた状態で、相対的に下部取付片５６の部分を下段側の踏板６の左右両側に固定されている。
【００６６】
また、上階段部５にあっても、前記と同様、踏板受材９を介して其の左右幅方向の略中央部を１本の桁材１１の傾斜部１５で支えられた各踏板７の撓みを防止するため、図１に示すように、高さ方向に隣り合う踏板７，７の間、および、高さ方向で折り返し部２の床板３に隣り合う踏板７と床板３との間が、各踏板７の左右幅方向の両端に配置された連結材６４によって相互に連結されている。
前述した通り、上階段部５を独立した１つの階段構造として認識した場合にあっては、上階段部５を基準として、相対的に、折り返し部２を建築物の下階、また、上階Ｕｓを建築物の上階として把握することができるのであるから、この実施形態にあっては、上階段部５の一部を構成する最下段の踏板７と下階側つまり折り返し部２側の床板３との間が最下段の踏板７の左右幅方向の両端に配備された連結材６４，６４によって相互に連結されているといって差し支えない。
【００６７】
高さ方向に隣り合う踏板７，７の間での連結材６４の接続状態や蹴込板６５の取付状態に関しては、下階段部４における連結材５３や蹴込板６３の場合と全く同様である。
【００６８】
そして、高さ方向で床板３に隣り合う踏板７と床板３との関係にあっては、図３（ａ）に示すように、連結材６４は、上部取付片６６の延出方向を階段の上り方向の前方（図３（ａ）中で右）に向けるようにして、相対的に上段側に位置する踏板７の下面側における上り方向の手前側（図３（ａ）中で左）の端部に上部取付片６６の上面を当接させた状態で、上部取付片６６の部分を踏板７に固定されると共に、相対的に下段側に位置する床板３における上り方向の前方側（図３（ａ）中で右）の縁部に下部取付片６７の手前側の面を当接させた状態で、下部取付片６７の部分を相対的に下段側の床板３に固定されている。
【００６９】
図７は折返し階段１の構成要素のうち下階段部４の踏板６，連結材５３，蹴込板６３、および、上階段部５の踏板７，連結材６４，蹴込板６５、ならびに、折り返し部２を形成する床板３を取り出して全体的な接続状態を示した斜視図、また、図８は折返し階段１の構成要素のうち下階段部４の桁材１０，踏板受材８，踏板６、および、上階段部５の桁材１１，踏板受材９，踏板７、ならびに、折り返し部２を形成する床板３を取り出して全体的な接続状態を示した斜視図である。
【００７０】
ここで、例えば、図７中のＰ１で示す位置で下階段部４の踏板６に偏った荷重が加わったとすると、その荷重は図中右側の連結材５３を介して、下階段部４の桁材１０に取り付けられている全ての踏板６に伝達され分散されるので、踏板６の撓みや、踏板６と桁材１０との接合部（より具体的には、踏板６と踏板受材８との接合部および踏板受材８と桁材１０との接合部ならびに踏板受材８それ自体）における応力集中を効果的に抑制することができる。また、図７中で踏板６の左側に偏った荷重が作用した場合には、各踏板６の左側に取り付けられた連結材５３を介して荷重の伝達および分散が行われる。
【００７１】
上階段部５の何れかの踏板７の偏った位置に荷重が作用した場合も上記と同様であり、その荷重は連結材６４を介して、上階段部５の連結材１１に取り付けられている全ての踏板７に伝達され分散されるので、偏った荷重による踏板７の撓みや、踏板７と桁材１１との接合部における応力集中を効果的に抑制することができる。
【００７２】
従って、下階段部４において高さ方向に隣り合う踏板６と踏み板６との間に設けられる蹴込板６３や上階段部５において高さ方向に隣り合う踏板７と踏み板７との間に設けられる蹴込板６５を強度保持のための手段として利用する必要はなく、蹴込板６３，６５の材質として様々な素材を利用することができ、例えば、前述したように、光の有効利用を図るために、アクリル板等からなる透明あるいは半透明の板材を利用して蹴込板６３，６５を構成することも可能となり、階段デザインの設計自由度が大幅に改善される。
【００７３】
また、下階段部４の踏板６や上階段部５の踏板７の強度自体は既に確保された状態にあるので、下階段部４や上階段部５に手摺を配備する場合であっても、手摺の強度自体は人体等の脱落を防止できれば十分であり、特に、手摺のデザインの設計自由度が著しく改善されるといったメリットがある。
【００７４】
次に、下階段部４の踏板６の左右方向に偏った荷重が作用した場合、例えば、桁材１０の鉛直上方位置から側方に離間した位置で人が踏板６を踏んだ場合の外力の作用について図８を参照して説明する。
【００７５】
いま、仮に、桁材１０の鉛直上方位置から右側に離間した図８中の矢印Ｐ１の位置に人の歩行による荷重が作用したとすると、下階段部４の桁材１０には２つの回転力が作用する。
【００７６】
そのうちの１つは、桁材１０の傾斜部１４を傾斜部１４の中心軸Ｃ１の周りで捻ろうとする回転力Ｍ１である。
【００７７】
また、下階段部４の桁材１０の傾斜部１４には下階段部４の桁材１０の水平部１２が一体的に接続しており、下階段部４の桁材１０の形状は、傾斜部１４と水平部１２とをあわせて全体として略「へ」の字型の剛体となっているので、下階段部４の桁材１０の両端部を結んだ仮想線Ｃ２の周りで下階段部４の桁材１０を全体的に回転させようとする回転力Ｍ２も同時に発生することになる。
【００７８】
このうち、下階段部４の桁材１０の両端部を結んだ仮想線Ｃ２の周りで桁材１０を全体的に回転させようとする回転力Ｍ２は、最終的に、下階段部４の桁材１０における傾斜部１４の下端部と下階Ｄｓの床板４４との接続部分であるサポートシュー４７の位置を支点として下階段部４の桁材１０の傾斜部１４を図８中で右側に向けて抉るようにして揺動させようとする力Ｆ１と、下階段部４の桁材１０における水平部１２の端部と建築物の壁面との接続部分である図８中で手前側のサポートシュー３０の位置を支点として下階段部４の桁材１０の水平部１２を図８中で右側に向けて抉るようにして揺動させようとする力Ｆ２として作用することになる。
【００７９】
しかし、下階段部４の桁材１０の水平部１２は図８中で手前側のサポートシュー３０と受梁材２９を介して建築物の壁面に接続され、同時に、上階段部５の桁材１１の水平部１３と共に折り返し部２を形成する床板３に固定されているので、下階段部４の桁材１０の水平部１２を抉るようにして揺動させようとする力Ｆ２は、更に、折り返し部２を形成する床板３と上階段部４の桁材１１の水平部１３とを介して、上階段部５の桁材１１における水平部１３の端部と建築物の壁面との接続部分である他方のサポートシュー３０にも伝達されることになる。
【００８０】
このように、下階段部４の桁材１０の水平部１２を抉るようにして揺動させようとする力Ｆ２が、下階段部４の桁材１０における水平部１２の端部と建築物の壁面との接続部分である図８中で手前側のサポートシュー３０、および、上階段部５の桁材１１における水平部１３の端部と建築物の壁面との接続部分である他方のサポートシュー３０により２箇所で受け支えられることになるので、下階段部４の桁材１０の鉛直上方位置から側方に離間した位置、例えば、図８中の矢印Ｐ１の位置で人が踏板を踏んで下階段部４の踏板６の左右方向に偏った荷重が作用したような場合であっても、下階段部４の桁材１０における水平部１２の端部と建築物の壁面との接続部分つまり図８中で手前側のサポートシュー３０を支点として下階段部４の桁材１０の水平部１２を抉るようにして揺動させようとする強い力が作用することはなくなる。
【００８１】
桁材１０の鉛直上方位置から左側に離間した位置で踏板６に荷重が作用した場合では、Ｍ１，Ｍ２，Ｆ１，Ｆ２の方向性は逆となるが、下階段部４の桁材１０の水平部１２を抉るようにして揺動させようとする力Ｆ２が床板３と上階段部５の桁材１１の水平部１３とを介して他方のサポートシュー３０に伝達され、図８中で手前側のサポートシュー３０と他方のサポートシュー３０の２箇所で此の力が分散され、図８中で手前側のサポートシュー３０を支点として下階段部４の桁材１０の水平部１２を抉るようにして揺動させようとする強い力が作用しなくなる点に関しては前記と同様である。
【００８２】
一方、上階段部５の踏板７の左右方向に偏った荷重が作用した場合、つまり、桁材１１の鉛直上方位置から側方に離間した位置で人が踏板７を踏んだ場合には、上階段部５の桁材１１の傾斜部１５を傾斜部１５の中心軸Ｃ３の周りで捻ろうとする回転力Ｍ３と、上階段部５の桁材１１の両端部を結んだ仮想線Ｃ４の周りで上階段部５の桁材１１を全体的に回転させようとする回転力Ｍ４が発生する。このうち、上階段部５の桁材１１の両端部を結んだ仮想線Ｃ４の周りで上階段部５の桁材１１を全体的に回転させようとする回転力Ｍ４は、最終的に、上階段部５の桁材１１における傾斜部１５の上端部と上階Ｕｓの構造材４６（図５参照）との接続部分であるサポートシュー４８の位置を支点として上階段部５の桁材１１の傾斜部１５を図８中で左右方向に向けて抉るようにして揺動させようとする力Ｆ３と、上階段部５の桁材１１における水平部１３の端部と建築物の壁面との接続部分である図８中で後方側のサポートシュー３０の位置を支点として上階段部５の桁材１１の水平部１３を図８中で左右方向に向けて抉るようにして揺動させようとする力Ｆ４として作用することになるが、上階段部５の桁材１１の水平部１３は図８中で後方側のサポートシュー３０と受梁材２９を介して建築物の壁面に接続され、同時に、下階段部４の桁材１０の水平部１２と共に折り返し部２を形成する床板３に固定されているので、上階段部５の桁材１１の水平部１３を抉るようにして揺動させようとする力Ｆ４は、折り返し部２を形成する床板３と下階段部４の桁材１０の水平部１２とを介して、下階段部４の桁材１０における水平部１２の端部と建築物の壁面との接続部分である図８中で手前側のサポートシュー３０にも伝達されることになる。つまり、上階段部５の桁材１１の水平部１３を抉るようにして揺動させようとする力Ｆ４は、上階段部５の桁材１１における水平部１３の端部と建築物の壁面との接続部分である図８中で後方側のサポートシュー３０、および、下階段部４の桁材１０における水平部１２の端部と建築物の壁面との接続部分である図８中で手前側のサポートシュー３０により２箇所で受け支えられることになるので、上階段部５の桁材１１の鉛直上方位置から側方に離間した位置で人が踏板７を踏んで上階段部５の踏板７の左右方向に偏った荷重が作用したような場合であっても、上階段部５の桁材１１における水平部１３の端部と建築物の壁面との接続部分つまり図８中で後方側のサポートシュー３０を支点として上階段部５の桁材１１の水平部１３を抉るようにして揺動させようとする強い力が作用することはなくなる。
【００８３】
更に、下階段部４の桁材１０の水平部１２と上階段部５の桁材１１の水平部１３は折り返し部２を形成する床板３に完全に固定されているので、建築物の壁面に対して下階段部４の桁材１０の水平部１２を支える図８中で手前側のサポートシュー３０や上階段部５の桁材１１の水平部１３を支える図８中で後方側のサポートシュー３０それ自体の周りに捻るような強い力が作用するといったこともない。
【００８４】
このようにして、下階段部４の桁材１０における水平部１２の端部と建築物の壁面との接続部分を支点として下階段部４の桁材１０の水平部１２を抉るようにして揺動させようとする強い力がなくなること、および、上階段部５の桁材１１における水平部１３の端部と建築物の壁面との接続部分を支点として上階段部５の桁材１１の水平部１３を抉るようにして揺動させようとする強い力がなくなること、更には、建築物の壁面に対して下階段部４の桁材１０の水平部１２や上階段部５の桁材１１の水平部１３を其の中心軸の周りに捻るような強い力が作用しなくなることにより、下階段部４の桁材１０における水平部１２の端部と建築物の壁面との接続部分および上階段部５の桁材１１における水平部１３の端部と建築物の壁面との接続部分、より具体的には、図８中で手前側に位置するサポートシュー３０や後方側に位置するサポートシュー３０および其の周辺箇所の損傷が未然に防止される。また、人に不安感を与える振動の発生をも抑えることができる。
【００８５】
従って、下階段部４の桁材１０における水平部１２の端部と建築物の壁面との接続部分および上階段部５の桁材１１における水平部１３の端部と建築物の壁面との接続部分は、上階段部５を構成する複数の踏板７と踏板受材９と１本の桁材１１、および、下階段部４を構成する複数の踏板６と踏板受材８と１本の桁材１０の荷重のみを鉛直方向の荷重として受け支えるだけでよく、捩りや抉りの力に耐える必要がないので、建築物の壁面自体が頑強ではなくても、複数の踏板を各踏板毎の踏板受材を介して１本の桁材に取り付けるようにした階段構造（いわゆる中桁構造の階段）を利用して、折り返し部２を形成する床板３を備えた折返し階段を容易に構築することができるようになり、部品点数の削減や施工の簡素化および建て付けのコストの低減化や作業所要時間の短縮化が容易に実現されることになる。
【００８６】
しかも、折り返し部２を形成する床板３は、下階段部４の桁材１０における水平部１２と上階段部５の桁材１１における水平部１３によって支えられる構造であって、下階段部４や上階段部５の荷重を支える必要は全くなく、人の荷重を受ける本来の目的を除けば、専ら、下階段部４の桁材１０の水平部１２を抉るようにして揺動させようとする力Ｆ２を上階段部５の桁材１１の水平部１３に分散させたり上階段部５の桁材１１の水平部１３を抉るようにして揺動させようとする力Ｆ４を下階段部４の桁材１０の水平部１２に分散させたりするために利用されるものであるから、それ自体が下階段部４や上階段部５の接続手段および荷重受け手段として機能する従来型の構造のものとは相違し、耐荷重のための強度を確保する必要がないので軽量化やコストの軽減化が容易であり、また、トラス構造体や支柱等に相当する構造物を別途配置して床板３を支える必要がないことから、折り返し部２を支えるトラス構造体や支柱等の付加物によって美観が損なわれるといった不都合も解消され、折り返し部２の下のスペースの有効利用も実現することができる。
【００８７】
なお、下階段部４の桁材１０における傾斜部１４の下端部と床板４４との接続部分を支点として桁材１０の傾斜部１４を図８中で左右方向に向けて抉るようにして揺動させようとする力Ｆ１はサポートシュー４７に直接的に作用し、また、上階段部５の桁材１１における傾斜部１５の上端部と構造材４６（図５参照）との接続部分を支点として桁材１１の傾斜部１５を図８中で左右方向に向けて抉るようにして揺動させようとする力Ｆ３もサポートシュー４８に直接的に作用することになるが、傾斜部１４の下端部と床板４４との接続および傾斜部１５の上端部と構造材４６との接続に関しては、床板４４や構造材４６自体が頑強であるので、強度上の問題は生じない。
【００８８】
次に、図９および図１０を参照して折り返し部２を構成する床板３に段差を設けた他の一実施形態の折返し階段６８の構成について簡単に説明する。
【００８９】
図９は本発明を適用した第２実施形態の折返し階段６８の構成について簡略化して示した分解斜視図である。
【００９０】
この折返し階段６８は、建築物の上階Ｕｓと下階Ｄｓの間に折り返し部２を備えた折返し階段であり、その主要部は、下階Ｄｓと折り返し部２とを連絡する下階段部４と、折り返し部２と上階Ｕｓとを連絡する上階段部５、および、下階段部４の桁材１０における水平部１２と上階段部５の桁材１１における水平部１３を跨ぐように設置されて折り返し部２を形成する床板３によって構成される。
【００９１】
このうち下階段部４と上階段部５の構成に関しては図１〜図８を参照して説明した前述の折返し階段１の場合と同様であるので、図１で用いたものと同じ符号を図９中に記載するにとどめ、詳細な説明は省略する。
【００９２】
この実施形態の折返し階段６８は折り返し部２を構成する床板３に段差を備えていることから、特に、上階Ｕｓと下階Ｄｓの間の垂直離間距離が大きな場合、つまり、下階Ｄｓの天井が高い場合等に好適である。
【００９３】
図１０は図９に示される床板３の構造を示した断面図である。この床板３は、下部階段側の床板材３ａと上部階段側の床板材３Ｂ、および、床板材３ａと床板材３と３Ｂを連絡する蹴込板３ｃによって一体的に構成されている。図１０に示すように、床板材３ａ，蹴込板３ｃ，床板材３Ｂからなる床板３は、上部階段側の床板材３Ｂの左端部の下面側を前後に貫通する角溝６９に蹴込板３ｃの上縁部を嵌合させて床板材３Ｂの角溝６９に蹴込板３ｃの上縁部を接着剤で固着すると共に、蹴込板３ｃの下端部の左側面を前後に貫通する角溝７０に下部階段側の床板材３ａの右端部を嵌合させて蹴込板３ｃの角溝７０に床板材３ａの右端部を接着剤および木ネジ７１で固着することによって、強固に一体化されている。
【００９４】
下階段部４の桁材１０における水平部１２と上階段部５の桁材１１における水平部１３を用いて床板３を支持する点に関しては図１〜図８を参照して説明した折返し階段１の場合と同様であるが、図９および図１０に示した実施形態では床板３を構成する床板材３ａと床板材３Ｂとの間に図１０に示す通りの高低差があるので、この高低差に応じ、下階段部４における桁材１０の水平部１２よりも上階段部５における桁材１１の水平部１３を高い位置で建築物の壁面に取り付ける必要がある。
【００９５】
このため、建築物の壁面にサポートシュー３０，３０を取り付けるための受梁材２９は、図１０に示すように、床板材３ａの部分を支えるための下部側受梁材２９ａ、および、床板材３Ｂを支えるための上部側受梁材２９Ｂと、下部側受梁材２９ａの上面高さと上部側受梁材２９Ｂの上面高さとの差分を床板材３ａ，３Ｂ間の段差分に合わせるためのスペーサ２９ｃによって構成され、下部側受梁材２９ａ，スペーサ２９ｃ，上部側受梁材２９Ｂがボルト７２，７２によって一体的に固定されている。
【００９６】
この受梁材２９は、図９に示すように、建築物の壁面内に固設された構造材２８，２８に対して上下方向に位置をずらせて取り付けられた取付金具３１，３１を介して建築物の壁面に取り付けられ、更に、図１０に示すように、受梁材２９の一部である下部側受梁材２９ａにボルト３５を介して取り付けられたサポートシュー３０と受梁材２９の一部である上部側受梁材２９Ｂにボルト３５を介して取り付けられたサポートシュー３０を介して、下階段部４の桁材１０における水平部１２の先端部、および、上階段部５の桁材１１における水平部１３の先端部が建築物の壁面に接続されるようになっている。
【００９７】
折返し階段６８の主要部である下階段部４および上階段部５の構成に関しては図１〜図８を参照して説明した前述の折返し階段１の場合と全く同様であるので、前述した実施形態と同様に、建築物の壁面自体が頑強でなくても中桁構造の階段を利用して部品点数の削減や施工の簡素化および建て付けのコストの低減化や作業所要時間の短縮化を容易に実現することができる。また、トラス構造体や支柱等に相当する構造物を別途配置して床板３を支える必要がないことから、折り返し部２を支えるトラス構造体や支柱等の付加物によって美観が損なわれるといった不都合が解消され、折り返し部２の下のスペースの有効利用を実現することができ、更には、下階段部４において高さ方向に隣り合う踏板６と踏み板６との間に設けられた連結材５３や上階段部５において高さ方向に隣り合う踏板７と踏み板７との間に設けられた連結材６４によって踏板６，７の左右方向に偏って作用する荷重が他の踏板６，７に分散され踏板６，７の撓みが抑制されるので、蹴込板６３，６５の材質として様々な素材を利用することができ、しかも、デザイン上の都合等によっては、蹴込板６３，６５の採用それ自体を取り止めても十分な強度を確保することが可能であり、手摺のデザインの設計自由度も改善されるといった効果を奏する。また、人に不安感を与える振動の発生をも抑えることができる。
【００９８】
次に、図１１、図１２に基づいて、本発明の階段構造を適用した場合の第３実施形態を説明する。
前記第１実施形態では、最下段の踏板６と下階Ｄｓ側の床板４４との間が連結材５３によって相互に連結されていたが、本第３実施形態の階段構造では、上記連結材５３に代えて、踏板受け部材８０を用いたものである。
【００９９】
すなわち、図１１（ａ）に示すように、最下段の踏板６の左右幅方向（長手方向）の両端には、階段手摺用の支柱８１が立設されている。この手摺用の支柱８１は、１本のみしか図示されていないが、実際には水平方向に所定間隔で所定段の踏板６の上面に立設され、階段の全体にわたって設けられている。
支柱８１は例えばアルミ製の四角筒状に形成されており、支柱８１の下部側は、図１２（ａ）に示すように、踏板６の左右幅方向の両端部の切欠き部６Ａ内を貫通し、支柱８１の下端は、最下段の踏板６の裏面に配置された取付け板８２にネジ止めにより固定されている。ネジ止めは、取付け板８２の裏面に形成された座ぐり部からネジを差し込み、そのネジを支柱８１の下端に形成されている螺合部にねじ込むことにより行なわれる。なお、この支柱８１と取付け板８２との取付構造は、本願出願人が既に出願した手摺の取付構造（特開２００４−１６２５１８号公報）に開示された取付構造と同じである。
この取付け板８２は、図１２（ａ）に示すように、踏板６の裏面に形成された凹部６Ｂに嵌込まれるようになっている。
なお、支柱８１と取付け板８２とを溶接等により固着してもよい。
【０１００】
一方、支柱８１の床板４４側延長上には、上記踏板受け部材８０が設けられている。この踏板受け部材８０は、上記支柱８１と同一部材を切断して形成されたものである。踏板受け部材８０の上端は、上記取付け板８２と略同一形状および同一厚さ寸法に形成された支持板８３に上記と同様の構造により固着されている。
すなわち、支持板８３の上端面に形成された座ぐり部からネジを差し込み、そのネジを踏板受け部材８０の上端に形成されている螺合部にねじ込むことにより行なわれる。
なお、踏板受け部材８０と支持板８３とを溶接等により固着してもよい。
【０１０１】
そして、図１２（ａ）、（ｂ）に示すように、支持板８３と取付け板８２とが合わせられた後、ボルト８５により同時に踏板６にねじ込んで固定されるようになっている。
踏板受け部材８０の下端は、図１１（ａ）、（ｂ）に示すように、座板８４に溶接等で固着されており、その座板８４の四隅をボルト８５で下階Ｄｓ側の床板４４に固定するようになっている。
なお、踏板受け部材８０は、必ずしも支柱８１の床板４４側延長上に設けなくてもよく、踏板６と床板４４との間であればどこに配置してもよい。要は踏板６が支持されていればよいものである。
【０１０２】
以上のような第３実施形態の階段構造によれば、前述した第１実施形態の各効果を得ることができる他、最下段の踏板６と下階Ｄｓ側の床板４４との間に踏板受け部材８０が設けられ、この踏板受け部材８０は、階段手摺用支柱８１と同一部材および同一形状に形成されているので、美観が優れたものとなる。
また、人に不安感を与える振動の発生をも抑えることができる。
【０１０３】
次に、図１３、図１４に基づいて、本発明の階段構造を適用した場合の第４実施形態を説明する。
前記第１実施形態では、最下段の踏板６と下階Ｄｓ側の床板４４との間が連結材５３によって相互に連結されていたが、本第４実施形態の階段構造では、上記連結材５３に代えて、延長連結材９０を用いたものである。
すなわち、図１３に示すように、延長連結材９０は、下から二段目の踏板に設けられていた前記連結材５３の下部側を下階Ｄｓの床板４４に達する長さ寸法に形成されている。この延長連結材９０は、その長手方向途中が最下段の踏板６の背面と連結されると共に長手方向下端部が座板９４を介して床板４４に固着されている。
【０１０４】
この延長連結材９０は、図１４（ａ）〜（ｄ）に示す形状となっている。図１４（ａ）は階段の上り方向の手前側から延長連結材９０の外形を示した正面図、図１４（ｂ）は其の右側面図、図１４（ｃ）は其の平面図、図１４（ｄ）は図１４（ｂ）におけるｄ−ｄ線に沿った断面図である。
【０１０５】
延長連結材９０は、図１３（ａ）および図１３（ｂ）に示すように、略Ｔ字型の断面形状を有する桿状の本体部９１と、本体部９１の上端部から当該本体部９１の長手方向に直交する向きで手前側に延出する上部取付片９２と、本体部９１の下端部から下方に向けて延出する下部取付部９３と、下部取付部９３の下階Ｄｓの床板４４側の端部に設けられた座板９４をアルミダイキャスト等で成形した一体成形品である。そして、下部取付部９３が、前記実施形態１における連結材５３と同様の役割を果たすようになっている。
【０１０６】
上部取付片９２には、図１４（ｃ）に示すように、略Ｔ字型の断面を有する本体部９１の投影形状における２つのコーナー部分に相当する中央部の左右両側の箇所に、下面側に座ぐりを備えたネジ穴５７，５７が穿設される一方、下部取付部９３の中央部の左右両側には、その背面側に座ぐりを備えた２つのネジ穴５８，５８が図１３（ａ）に示すようにして穿設されている。
なお、踏板６，６間で作用する荷重の伝達に必要とされる十分な剛性さえあれば、延長連結材９０はアルミダイキャスト等で形成されたものに制限されない。
【０１０７】
この延長連結材９０は、図１３に示すように、上部取付片９２の延出方向を階段の上り方向の前方（図１３中で左）に向けるようにして、高さ方向に隣り合う踏板６，６のうち上段側に位置する踏板６の下面側における上り方向の手前側（図１３中で右）の端部に上部取付片９２の上面を当接させた状態で、ネジ穴５７，５７を下から上に貫通する木ネジ５９，５９によって上段側の踏板６の左右両側に固定されると共に、下段側に位置する踏板６における上り方向の前方側（図１３中で左）の縁部（前縁）に下部取付部９３の手前側の面の一部を当接させた状態で、ネジ穴５８，５８を背面側から手前に貫通する木ネジ６０，６０によって下段側の踏板６の左右両側に固定される。
【０１０８】
下部取付部９３の下端は前記座板９４と一体的に設けられており、この座板９４には、その四隅に座ぐりを備えたネジ穴９７が穿設されている。そして、延長連結材９０の下端は、座板９４を下階Ｄｓの床板４４に押当てた後、ネジ穴９７から木ネジ（図略）をねじ込むことで固定するようになっている。
【０１０９】
以上のような第４実施形態の階段構造によれば、前述した第１実施形態の各効果を得ることができる他、延長連結材９０が踏板の左右幅方向の両端に設けられているので、階段の上り口から目立たないと言う効果を得ることができる。
また、人に不安感を与える振動の発生をも抑えることができる。
【０１１０】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【産業上の利用可能性】
【０１１１】
本発明は、折り返し階段を作る際に利用される。
【符号の説明】
【０１１２】
１  折返し階段
２  折り返し部
３  床板
３ａ  下部階段側の床板材
３Ｂ  上部階段側の床板材
３ｃ  蹴込板
４  下階段部
５  上階段部
６，７  踏板
８，９  踏板受材（踏板と桁材との接合部分）
８ａ，９ａ  天面
８Ｂ，９Ｂ  下面
１０，１１  桁材
１２，１３水平部
１２ａ，１３ａ  突き合わせ面
１４，１５  傾斜部
１４ａ，１５ａ  突き合わせ面
１６，１７  接続材
１８，１９，２０，２１，２２，２３，２４，２５  ボルト
２６，２７  カバー部材
２８  壁面内に固設された構造材
２９  受梁材
２９ａ  下部側受梁材
２９Ｂ  上部側受梁材
２９ｃ  スペーサ
３０  サポートシュー
３１  取付金具
３２  ボルト
３３  舌片状突起
３４  ベース部
３５，３６，３７  ボルト
３８  ブラケット
３９，４０  木ネジ
４１  ボルト
４２  ブラケット
４３  木ネジ
４４，４５  床板
４６  構造材
４６ａ  手前側の面
４７，４８  サポートシュー
４９，５０，５１，５２  ボルト
５３  連結材
５４  本体部
５５  上部取付片
５６  下部取付部
５７，５８  ネジ穴
５９，６０  木ネジ
６１，６２  角溝
６３  蹴込板
６４  連結材
６５  蹴込板
６６  上部取付片
６７  下部取付片
６８  折返し階段
６９，７０  角溝
７１  木ネジ
７２  ボルト
８０  踏板受け部材
８１  手摺用支柱
８２  取付け板
８３  支持板
８４  座板
９０  延長連結材
９１  本体部
９２  上部取付片
９３  下部取付部
９４  座板
Ｕｓ  上階
Ｄｓ  下階
Ｐ１  荷重の作用する位置
Ｃ１  傾斜部の中心軸
Ｃ２  下階段部の桁材の両端部を結んだ仮想線
Ｃ３  傾斜部の中心軸
Ｃ４  上階段部の桁材の両端部を結んだ仮想線
Ｍ１  傾斜部の中心軸の周りの回転力
Ｍ２  桁材の両端部を結ぶ仮想線の周りで桁材全体を回転させようとする回転力
Ｍ３  傾斜部の中心軸の周りの回転力
Ｍ４  桁材の両端部を結ぶ仮想線の周りで桁材全体を回転させようとする回転力
Ｆ１  桁材の傾斜部を左右方向に揺動させようとする力
Ｆ２  桁材の水平部を左右方向に揺動させようとする力
Ｆ３  桁材の傾斜部を左右方向に揺動させようとする力
Ｆ４  桁材の水平部を左右方向に揺動させようとする力
【図１】
2010013925.tif 000003
【図２】
2010013925.tif 000004
【図３】
2010013925.tif 000005
【図４】
2010013925.tif 000006
【図５】
2010013925.tif 000007
【図６】
2010013925.tif 000008
【図７】
2010013925.tif 000009
【図８】
2010013925.tif 000010
【図９】
2010013925.tif 000011
【図１０】
2010013925.tif 000012
【図１１】
2010013925.tif 000013
【図１２】
2010013925.tif 000014
【図１３】
2010013925.tif 000015
【図１４】
2010013925.tif 000016